(57)【要約】【課題】  接続アダプタを介してオーガに杭を容易に装着又は脱着することができるため、繰り返し行う杭打ち作業をスムーズに行うことが可能となる。【解決手段】  自走式作業機に装着されたオーガに地中に打設する杭を接続させるための接続アダプタにおいて、前記オーガに挿入して接続する第１の接続部と、前記杭を接続させる第２の接続部とを有し、前記第１の接続部をオーガに接続させ、前記第２の接続部に杭を接続させることで、前記オーガと、前記第１及び第２の接続部と、前記杭とが一体化することを特徴とする。【選択図】  図１
2014122485.tif 000002
【特許請求の範囲】
【請求項１】
自走式作業機に装着されたオーガに地中に打設する杭を接続させるための接続アダプタにおいて、
前記オーガに接続され固定される第１の接続部と、
前記杭が接続され固定される第２の接続部と、
を有することを特徴とする接続アダプタ。
【請求項２】
前記第１の接続部は、直径方向に貫通する第１の孔を備えており、該第１の孔と前記オーガに設けられた孔との位置合わせを行い、該合わせた位置でボルトを挿通し締結させることを特徴とする請求項１記載の接続アダプタ。
【請求項３】
前記第２の接続部は、直径方向に貫通する第２の孔を備えており、該第２の孔と前記杭に設けられた孔との位置合わせを行い、該合わせた位置でピンを挿通し締結させることを特徴とする請求項１または２記載の接続アダプタ。
【発明の詳細な説明】
【技術分野】
【０００１】
本発明は、建物などの施工の際に地盤を補強するために埋め込む基礎用杭を作業機械に装着させるための接続アダプタに関し、特に、オーガへの基礎用杭の接続及び脱着が容易となる接続アダプタに関する。
【背景技術】
【０００２】
建設物の基礎工事において、十分な強度を有する基礎を施工するには地盤を強化する必要があり、そのために地盤に多数の杭を埋め込む方法が一般的に利用されている。
その杭打ち装置としては、特許文献１に示すように、バックホウのアームの先端に取付けられる杭支持具と、この杭支持具に相対上下動可能に支持される杭の上端に載置保持する駆動杭打用加振装置とから構成された簡易杭打機が提案されている。この特許文献１に開示される杭打ち装置によれば、杭を人為的に保持することなく容易に杭打作業を行うことができる、としている。
【先行技術文献】
【特許文献】
【０００３】
【特許文献１】特開平６−１４６２７９号公報
【発明の概要】
【発明が解決しようとする課題】
【０００４】
しかしながら、建設する建物の規模が大きければ、基礎工事の面積も大きくなり多数の杭打ちが必要となる。そこで、杭打ちを効率よく行うためには、バックホウへ杭の装着及び脱着をスムーズに行うことが必須であるが、特許文献１に記載の簡易杭打機では、杭を杭支持具と加振装置とに保持する必要があり、繰り返して杭打ち作業を行うには、杭の装着及び脱着に時間を要し、効率的な杭打作業を行うことが困難である。
【０００５】
また、特許文献１に記載の簡易杭打機は、そのような装置構成を必要とするため、それを備える重機以外では利用できないと言う問題もある。
【０００６】
本発明は係る問題に鑑みてなされたものであり、従来の重機以外でも利用でき、杭打作業を効率良く行うために、作業機械に対して杭の装着及び脱着が容易となる接続アダプタを提供することを目的とする。
【課題を解決するための手段】
【０００７】
本発明は、上記目的を達成するために、自走式作業機に装着されたオーガに地中に打設する杭を接続させるための接続アダプタにおいて、前記オーガに接続され固定される第１の接続部と、前記杭が接続され固定される第２の接続部と、を有することを特徴とする接続アダプタを提供するものである。
【０００８】
以上の構成において、前記第１の接続部は、直径方向に貫通する第１の孔を備えており、該第１の孔と前記オーガに設けられた孔との位置合わせを行い、該合わせた位置でボルトを挿通し締結させることが望ましい。
【０００９】
また、前記第２の接続部は、直径方向に貫通する第２の孔を備えており、該第２の孔と前記杭に設けられた孔との位置合わせを行い、該合わせた位置でピンを挿通し締結させることが望ましい。
【発明の効果】
【００１０】
本発明によれば、接続アダプタが、オーガに接続され固定される第１の接続部と、杭が接続され固定される第２の接続部と、を有する構成であるため、接続アダプタを介して杭をオーガに容易に装着又は脱着することができるため、繰り返し行う杭打ち作業を低コストでスムーズに行うことが可能となる。
【図面の簡単な説明】
【００１１】
【図１】本実施形態に係る接続アダプタが用いられる杭が接続されたバックホウの全体概略図である。
【図２】図２（ａ）は接続アダプタの正面図であり、図２（ｂ）は、接続アダプタの上面図である。
【図３】杭打ち作業に使用する杭の構成を示した図である。
【図４】オーガに接続アダプタ及び杭を接続させた状態を示した図である。
【図５】杭打ち作業の例を示した図である。
【発明を実施するための最良の形態】
【００１２】
次に、図面を参照して本発明の実施形態について説明する。
図１は、本実施の形態に係る接続アダプタが用いられる杭が接続されたバックホウの全体概略図である。
図１に示すように、自走式の作業機であるバックホウ１００のアーム１０１の先端には、回転駆動装置である油圧式オーガ２００が取り付けられ、油圧式オーガ２００の出力軸２０１に連結した接続アダプタ３００を介してスクリュー杭４００が装着されている。油圧式オーガ２００に備わる油圧モータ（図示せず）の回転が出力軸２０１及び接続アダプタ３００を介してスクリュー杭４００に伝わるように構成されている。
【００１３】
図２（ａ）は接続アダプタの構成を示した正面図であり、図２（ｂ）は接続アダプタの構成を示した上面図である。
図２（ａ）に示すように、接続アダプタ３００は概略筒状であって、油圧式オーガ２００の出力軸２０１と接続する外周が略多角形状の第１の接続部３０１と、スクリュー杭４００と接続させるための外周が略円形状の第２の接続部３０２と、から構成されている。第１の接続部３０１及び第２の接続部３０２のそれぞれの側面には第１の孔３０１ａ及び第２の孔３０２ａが設けられている。
また、図２（ｂ）に示すように、第１の接続部の径は第２の接続部の径よりも小さい構成となっている。また、第２の接続部の径は、スクリュー杭４００の内径よりも小さくなっている。
【００１４】
図３は、杭打ちに使用する杭の一例の構成を示した図である。
図示するように、スクリュー杭４００は、中空円筒の鋼管をもとにして形成され、先端部４０１、円錐部４０２、円筒部４０３及び基礎円筒部４０４の各部から構成されている。これらの各部のうち、先端部４０１と円錐部４０２の接続部分から軸の地上側に向かっての円錐部４０２と円筒部４０３からなる杭本体の全長のほぼ２／３の長さに当たる部分には、自動溶接によってらせん状に歯４０５が連続して設けられている。
【００１５】
スクリュー杭４００がこのような構成であることから、歯４０５のらせん方向に合わせて回転させながら加圧することによって、地表面の傾斜や凹凸に関係なく、決められた方向に向けて打ち込むことができる。また、一旦、地中に打設されると、スクリュー杭４００に上下方向に引き抜きの力が加わっても簡単に抜けることがなく、地上の建設施設に対して十分な支持力と方向性を与える基礎部材となることができる。
【００１６】
また、基礎円筒部４０４には、接続アダプタ３００と接続するための接続孔４０４ａが設けられており、接続孔４０４ａと接続アダプタ３００の第２の接続部３０２の孔３０２ａとにピン５００を挿通させることで接続アダプタ３００にスクリュー杭４００を固定することができる。
【００１７】
次に、油圧式オーガへのスクリュー杭の接続方法について説明する。
まず、油圧式オーガ２００の出力軸２０１内に接続アダプタ３００の第１の接続部３０１を挿入し、出力軸２０１に設けられている孔２０１ａと第１の接続部３０１の第１の孔３０１ａと位置を合わせ、ボルト６００を挿通させてナット６０１で締結させて固定する。
次に、スクリュー杭４００の基礎円筒部４０４内に接続アダプタ３００の第２の接続部３０２を挿入し、基礎円筒部４０４に設けられている接続孔４０４ａと第２の接続部３０２に設けられている孔３０２ａとの位置を合わせてピン６０２を挿通することでスクリュー杭４００を接続アダプタ３００に固定する。
【００１８】
このように、油圧式オーガ２００に接続アダプタ３００を介して容易にスクリュー杭４００を固定することができる。そのため、油圧式オーガ２００に固定したスクリュー杭４００を地盤に埋め込んだ後、油圧式オーガ２００から脱着させ、次のスクリュー杭４００を油圧式オーガ２００に固定するといった繰り返し作業を効率良く行うことができる。
【００１９】
そして、図４に示すように、建設現場においてバックホウ１００のアーム１０１先端に取付けられた油圧式オーガ２００を作動させることで、接続アダプタ３００と一体となったスクリュー杭４００が軸周方向に回転し、バックホウ１００のアーム１０１を操作してスクリュー杭４００を押圧することで地盤に打ち込むことができる。
【００２０】
このように、接続アダプタがオーガに接続され固定される第１の接続部と、杭が接続され固定される第２の接続部と、を有する構成であるため、接続アダプタを介して杭をオーガに容易に装着又は脱着することができるため、繰り返し行う杭打ち作業をスムーズに行うことが可能となる。また、このような簡単な構成であるので、従来の重機以外のものでも利用することが出来、専用の重機を用意する必要がないので、そのためのコストの削減も図ることが出来る。
【符号の説明】
【００２１】
１００    バックホウ
１０１    アーム
２００    油圧式オーガ
２０１    出力軸
３００    接続アダプタ
３０１    第１の接続部
３０１ａ    第１の孔
３０２    第２の接続部
３０２ａ    第２の孔
４００    スクリュー杭
４０１    先端部
４０２    円錐部
４０３    円筒部
４０４    基礎円筒部
４０５    歯
【図１】
2014122485.tif 000003
【図２】
2014122485.tif 000004
【図３】
2014122485.tif 000005
【図４】
2014122485.tif 000006
【図５】
2014122485.tif 000007